(57)【要約】【課題】集積回路の一部分を低電力状態にすることができるだけでなく、そのような部分がこの低電力状態から出る時に、迅速に処理動作を再開できることが望ましい。これを支援するために、論理回路の状態変数は、低電力状態の間維持される必要がある。【解決手段】集積回路２は、実質（virtual）電力線６、８に接続される論理回路４を含む。これらの実質電力線は、電力制御トランジスタ１０、１６を介して、電力供給源１４に接続される。電力制御装置２０は、導電状態にある多数の電力制御トランジスタ１０、１６を決定する、制御信号を生成し、したがって、中間電圧レベルを有するように実質電力線を制御する。中間電圧レベルを選択して、論理回路を保持モードで維持してもよく、この状態は論理回路４内で維持されるが、処理動作は行われない。機能モードが再入力されると、ヘッダーおよびフッタートランジスタ１０、１６のすべてが導電状態に切り替えられ得る。【選択図】図１
2011101355.tif 000002
【特許請求の範囲】
【請求項１】
実質（virtual）電力線に連結され、電源電圧レベルを有する電力供給源に前記実質電力線を連結する、複数の電力制御トランジスタと、
前記複数の電力制御トランジスタに連結され、前記複数の電力制御トランジスタを通る伝導を制御するよう構成される、電力制御装置と、
前記実質電力線に連結され、そこから電力を引き出す論理回路と、を備える集積回路であって、
前記電力制御装置は、前記実質電力線を中間電圧レベルに維持するように、第１の数の前記電力制御トランジスタを選択して導電状態に切り替え、第２の数の前記電力制御トランジスタを選択して非導電状態に切り替える、集積回路。
【請求項２】
前記電力制御装置は、電力制御信号に応答して、
（ｉ）前記電力制御トランジスタのうちの実質的にすべてが前記導電のモードであり、前記論理回路はデジタル処理動作を行う、機能モードと、
（ｉｉ）前記複数の電力制御トランジスタのうちの少なくとも一部が前記非導電状態であり、前記論理回路は、デジタル処理動作を行わずに状態を保持するよう作動する、保持モードと、
の間で前記集積回路を切り替える、請求項１に記載の集積回路。
【請求項３】
前記複数の電力制御トランジスタは、電力制御トランジスタの複数のセットに分割され、電力制御トランジスタの各セットは、前記セット内で共有される電力制御信号によって、前記導電状態と前記非導電状態との間で切り替えられる、請求項１に記載の集積回路。
【請求項４】
電力制御トランジスタの前記複数のセットのうちの少なくとも一部の異なるセットは、異なる数の前記電力制御トランジスタを含む、請求項３に記載の集積回路。
【請求項５】
電力制御トランジスタの前記複数のセットのうちの少なくとも一部の異なるセットは、単調に増加する数の前記電力制御トランジスタを含む、請求項３に記載の集積回路。
【請求項６】
電力制御トランジスタの前記複数のセットは、複数のセット群を含み、１つのセット群内の各セットは、同一数の電力制御トランジスタを含み、異なる群内のセットは、異なる数の電力制御トランジスタを含む、請求項３に記載の集積回路。
【請求項７】
異なる群内のセットは、群間で４の倍数で増加する、いくつかの電力制御トランジスタを含む、請求項６に記載の集積回路。
【請求項８】
異なる群内のセットは、Ｘ個の電力制御トランジスタを含み、ＸはＭＮの整数部分であって、Ｍは正の定数であり、Ｎは群間で増加する、請求項６に記載の集積回路。
【請求項９】
前記電力制御装置は、前記第１の数および前記第２の数を制御して、前記中間電圧レベルを目標レベルに維持する、請求項１に記載の集積回路。
【請求項１０】
前記電力制御装置は、前記中間電圧レベルを感知し、フィードバック制御を前記第１の数および前記第２の数に適用して、前記中間電圧レベルを目標レベルに維持する、請求項９に記載の集積回路。
【請求項１１】
前記フィードバック制御は、前記第１の数および前記第２の数を変更して、前記集積回路の温度が変化するときに、前記中間電圧レベルを維持する、請求項１０に記載の集積回路。
【請求項１２】
前記電源に連結される電力線を備え、前記複数の電力制御トランジスタは、前記電力線に連結され、前記電力線を介して、前記実質電力線を前記電源に接続する役割を果たす、請求項１に記載の集積回路。
【請求項１３】
前記複数の電力制御トランジスタは、複数のヘッダートランジスタを含み、前記実質電力線は、実質電源供給線である、請求項１に記載の集積回路。
【請求項１４】
前記複数の電力制御トランジスタは、複数のフッタートランジスタを含み、前記実質電力線は、実質接地線である、請求項１に記載の集積回路。
【請求項１５】
前記論理回路は、クロック入力信号に応答して、デジタル処理動作を行い、前記クロック入力信号が静的である時に状態を保持する、請求項１に記載の集積回路。
【請求項１６】
電源電圧レベルを有する電力供給手段に前記実質電力線の手段を連結するために、実質電力線に連結される、複数の電力制御トランジスタ手段と、
前記複数の電力制御トランジスタ手段を通る伝導を制御するために、前記複数の電力制御トランジスタ手段に連結される、電力制御手段と、
前記実質電力線の手段に連結されて、そこから電力を引き出す論理手段と、
を備える集積回路であって、
前記実質電力線の手段を中間電圧レベルに維持するように、前記電力制御手段は、第１の数の前記電力制御トランジスタ手段を選択して導電状態に切り替え、第２の数の前記電力制御トランジスタ手段を選択して非導電状態に切り替える、集積回路。
【請求項１７】
集積回路を動作させる方法であって、
複数の電力制御トランジスタを介して、電源電圧レベルを有する電力供給源に実質電力線を連結するステップと、
電力制御装置を用いて、前記複数の電力制御トランジスタを通る伝導を制御するステップと、
前記実質電力線から論理回路のための電力を引き出すステップと、
前記実質電力線を中間電圧レベルに維持するように、第１の数の前記電力制御トランジスタを選択して導電状態に切り替え、第２の数の前記電力制御トランジスタを選択して非導電状態に切り替えるステップと、を含む、方法。
【発明の詳細な説明】
【技術分野】
【０００１】
本発明は、集積回路の分野に関する。より具体的には、本発明は、集積回路内の電力消費の管理に関する。
【背景技術】
【０００２】
ヘッダーおよびフッタートランジスタを介して、実質（virtual）電力線に接続される電力線を含む、集積回路を提供することが知られている。集積回路内の論理回路は、実質電力線から電力を引き出す。通常、高閾値電圧トランジスタである、ヘッダーおよびフッタートランジスタを使用して、低電力状態にある主要電力線から実質電力線を分離し、したがって、電力供給源から論理回路を分離する。これは、例えば、集積回路を通る静的漏れ電流を低減することによって、集積回路の電力消費を低減する際に有用な技法である。
【０００３】
集積回路の一部分を低電力状態にすることができるだけでなく、そのような部分がこの低電力状態から出る時に、迅速に処理動作を再開できることが望ましい。これを支援するために、論理回路の状態変数は、低電力状態の間維持される必要がある。これを達成する一方法は、状態変数をバルーンラッチに保存することである。しかしながら、バルーンラッチの提供は、回路のオーバーヘッドを増加させる。
【０００４】
英国公開特許出願第ＧＢ−Ａ−２，４４８，９６２号は、主要電力線の電圧とは異なる中間電圧に実質電力線を維持し、したがって、論理回路に対する電源電圧を低減するように、繰り返し電源がオンオフされる、実質電力線が、ヘッダーおよびフッタートランジスタを介して主要電力線に接続される技法を開示する。これは、論理回路内の電力消費を低減するが、状態データが論理回路内に保持されるために十分な電力を提供する。
【先行技術文献】
【特許文献】
【０００５】
【特許文献１】英国特許出願公開第２４４８９６２号明細書
【発明の概要】
【発明が解決しようとする課題】
【０００６】
一態様から見ると、本発明は、
実質電力線に連結され、電源電圧レベルを有する電力供給源に該実質電力線を連結する、複数の電力制御トランジスタと、
該複数の電力制御トランジスタに連結され、該複数の電力制御トランジスタを通る伝導を制御するように構成される、電力制御装置と、
該実質電力線に連結され、そこから電力を引き出す、論理回路と、を備える集積回路を提供し、
該電力制御装置は、該実質電力線を中間電圧レベルに維持するように、第１の数の該電力制御トランジスタを選択して導電状態に切り替え、第２の数の該電力制御トランジスタを選択して非導電状態に切り替える。
【課題を解決するための手段】
【０００７】
本技法は、電力制御装置を使用して、実質電力線を電力供給源に連結する、電力制御トランジスタの数を選択することによって、実質電力線が中間電圧レベルに保持されることができ、したがって、論理回路により消費される電力が低減し得る一方で、論理回路には、その状態を保持するために十分な電力が供給されることを認識する。電力制御装置は、実質電力線を中間電圧レベルに維持するように、第１の数の電力制御トランジスタを選択して導電状態に切り替え、第２の数の電力制御トランジスタを選択して非導電状態に切り替える。どの電力制御トランジスタがオンでどれがオフかの選択は実質的に静的であり、したがって、電力制御トランジスタを通る伝導を動的に調整する際に、電力は消費されないが、これ自体は、例えば、急速に時変する制御信号において、望ましくない量の電力を消費する。
【０００８】
本技法は、すべてデジタル処理動作が行われる機能モードレベルである、集積回路とともに使用して、異なる動作電圧レベル間でそれらを切り替え得るが、本技法は、電力制御装置が電力制御信号に応答して、集積回路を機能モードと、論理回路がデジタル処理動作を行わずに状態を保持する保持モードとを切り替えるシステムにおける使用に十分に適している。
【０００９】
電力制御装置による電力制御トランジスタの制御は、複数の電力制御トランジスタを電力制御トランジスタの複数のセットに分割することによって、効率的な様式で達成でき、電力制御トランジスタの各セットは、セット内で共有される電力制御信号によって、導電状態と非導電状態との間で切り替えられる。したがって、制御信号のルーティングオーバーヘッドは、単一の電力制御信号が電力制御トランジスタの全セットを切り替えることができるため、低減する。
【００１０】
導電状態にある電力制御トランジスタの数を適切なレベルに制御して、所望の中間電圧を達成することは、電力制御トランジスタの異なるセットの少なくとも一部が、異なる数の電力制御トランジスタを含む実施形態において促進され得る。したがって、導電状態に置かれている電力制御トランジスタのセットの異なる組み合わせは、実質電力線に対する駆動強度を変更し、したがって、中間電圧レベルが達成される。
【００１１】
どのセットの電力制御トランジスタが導電性であるかを選択し、それに応じて所望の中間電圧レベルに達するこの能力は、電力制御トランジスタの複数のセットが、単調に増加する数の電力制御トランジスタを含む場合に促進される。これは、導電状態にある第１の数の電力制御トランジスタの広範な値を達成可能にする。
【００１２】
電力制御トランジスタの異なるセットは、群に組織化することができ、それらの群は、それらの構成要素セット内で同数の電力制御トランジスタを共有する。群は、共通する電力制御信号を、一緒に電源がオンおよびオフされている群内のすべてのセットと共有することができる。
【００１３】
適切なコード化電力制御信号を用いて、オン状態にある電力制御トランジスタの数の指数的増加を達成可能にする、異なる群における電力制御トランジスタの数の便利な増減は、電力制御トランジスタの異なる群が、群間で４の倍数だけ増加する多くの要素を含む。
【００１４】
より一般的に、異なるセット群の電力制御トランジスタ数の間のそのような指数的関係は、各セットがＸ個の電力制御トランジスタを含む場合に提供され、ＸはＭＮの整数部分であり、Ｍは正の整数であって、Ｎは群間で増加する。
【００１５】
電力制御装置により適用される制御は、開ループ制御であることができ、電力制御装置は、第１の数および第２の数を所定の値に設定する。電力制御装置は、中間電圧を目標レベルに維持しようとする場合があり、そのような開ループ制御は、中間電圧が目標レベルの近くにあるように、事前に配置してもよい。
【００１６】
中間電圧レベルのより正確な制御は、中間電圧レベルを目標レベルに維持するために、電力制御装置が中間電圧レベルを感知し、フィードバック制御を第１の数および第２の数に適用すると達成され得る。
【００１７】
そのようなフィードバック制御は、集積回路間の個別の差異、および全体供給電圧差異、温度差異、回路の老朽化等の時変するパラメータに対応するために十分に適している。
【００１８】
電力制御トランジスタは、電力供給源に直接接続することができる。しかしながら、電力信号のルーティングは、電力制御トランジスタが、実質電力線と電力線との間を接続し、次いで、それ自体が電力供給源に連結する場合のほうが容易である。
【００１９】
電力制御トランジスタは、論理回路に対するヘッダートランジスタおよびフッタートランジスタのいずれか、または両方として提供され得る。
【００２０】
電力消費は、論理回路がクロック入力信号に応答すると、論理回路内でさらに減少し、クロック入力信号が静的である時に状態を保持する。したがって、中間電圧レベルが印加されると、クロック入力信号は停止され得、状態が維持される間、論理回路内の電力消費は低減される。
【００２１】
別の態様から見ると、本発明は、
実質電力線に連結され、電源電圧レベルを有する電力供給手段に該実質電力線手段を連結するための、複数の電力制御トランジスタ手段と、
該複数の電力制御トランジスタ手段を通る伝導を制御するために、該複数の電力制御トランジスタ手段に連結される電力制御トランジスタと、
該実質電力線手段に連結され、そこから電力を引き出す論理手段と、を備える集積回路を提供し
該電力制御手段は、該実質電力線手段を中間電圧レベルに維持するために、第１の数の該電力制御トランジスタ手段を選択して導電状態に切り替え、第２の数の該電力制御トランジスタ手段を選択して非導電状態に切り替える。
【００２２】
さらに別の態様から見ると、本発明は、集積回路を動作させる方法を提供し、該方法は、
複数の電力制御トランジスタを介して、電源電圧レベルを有する電力供給源に実質電力線を連結するステップと、
電力制御装置を用いて、該複数の電力制御トランジスタを通る伝導を制御するステップと、
論理回路のための電力を該実質電力線から引き出すステップと、
該実質電力線を中間電圧レベルに維持するように、第１の数の該電力制御トランジスタを選択して導電状態に切り替え、第２の数の該電力制御トランジスタを選択して非導電状態に切り替えるステップと、を含む。
【００２３】
本発明の上記、および他の目的、特徴、および利点は、添付の図面と併せて読まれる、例示的実施形態の以下の詳細な説明から明らかとなる。
【図面の簡単な説明】
【００２４】
【図１】電力管理機序を含む集積回路を概略的に示す図である。
【図２】電力制御トランジスタの群、セット、および数の間の関係を示す図である。
【図３】集積回路を通して分散される電力制御トランジスタを示す、集積回路を概略的に示す図である。
【図４】導電状態にある異なる数の電力制御トランジスタとともに、異なる実質線電圧および電流を示す信号図である。
【図５】導電状態にある電力制御トランジスタの実質線電圧と有効幅との間の関係を示す図である。
【図６】導電状態にある電力制御トランジスタの論理回路と有効幅との間の関係を示す図である。
【図７】導電状態に対して選択される電力制御トランジスタの数と、電力制御トランジスタを制御するための２進コードとの間の関係を示す図である。
【図８】導電状態に対して選択される電力制御トランジスタの数と、電力制御トランジスタを制御するための２進コードとの間の関係を示す図である。
【図９】電力管理の方法を概略的に示すフロー図である。
【発明を実施するための形態】
【００２５】
図１は、実質電源供給線６および実質接地線８に接続される論理回路４を含む、集積回路２を概略的に示す。実質電源供給線６は、電力制御ヘッダートランジスタ１０を介して、電源供給線１２に接続され、順に電力供給源１４に接続する。実質接地線８は、電力制御フッタートランジスタ１６を介して、接地線１８に接続され、再度電力供給源１４に接続される。
【００２６】
電力制御装置２０は、電力制御ヘッダートランジスタ１０および電力制御フッタートランジスタ１６に供給される制御信号を生成し、それらのうちのどれが導電状態にあるか、または非導電状態にあるかを選択する。当然のことながら、常にいくらかの残留量の漏れが存在するため、非導電状態は、トランジスタを通る電流がまったくないことを意味せず、むしろトランジスタの電源が実質的に切れていることを意味する。電力制御ヘッダートランジスタ１０および電力制御フッタートランジスタ１６は、それぞれＧＨ０、ＧＨ０、ＧＨ１、ＧＨ２、ＧＨ３およびＧＦ０、ＧＦ１、ＧＦ２およびＧＦ３という標示付きで示される。図１に示される個別のトランジスタのそれぞれは、それ自体がトランジスタの複数のセットを含み得る、一群のトランジスタに対応すると考えられ得る。これらのトランジスタは、論理回路４を通過する電力網の実質電源供給線に給電するために、論理回路４を通して分散され得る。そうではあるが、図１の描写は、電力制御トランジスタの配置およびその制御の性質を概略的に示す。
【００２７】
電力制御装置２０は、電力要求信号ｐｗｒｑおよび保持信号ｒｅｔｎに応答して、機能モードの動作と保持モードの動作とを切り替える。機能モードの動作において、論理回路４は、クロック入力信号ｃｌｋによってクロックされ、デジタル処理動作を行う。保持モードにおいて、実質電源供給線６と実質接地線８との間の電圧差は減少し、クロック入力信号は停止する。この保持モードにおいて、論理回路４はその状態値を保持するが、デジタル処理動作を行わない。
【００２８】
保持モードで論理回路４に供給される減少電圧は、論理回路４における漏れ電流および、したがって、集積回路２の電力消費を低減する。論理回路４内の論理回路４の状態の継続記憶は、フル供給電圧が機能モードで論理回路４に戻される場合、デジタル処理動作がより迅速に再開され得るという結果をもたらす。
【００２９】
電力制御装置２０は、異なる電力制御信号を、電力制御ヘッダートランジスタ１０および電力制御フッタートランジスタ１６のゲートノードに供給することが分かる。これらの個別の電力制御信号は、個別の電力制御ヘッダートランジスタ１０および電力制御フッタートランジスタ１６が、導電状態と非導電状態との間で切り替えられるようにする。このようにして、電力制御装置２０は、電力制御ヘッダートランジスタ１０および電力制御フッタートランジスタ１６を制御して、第１の数のこのようなトランジスタが導電状態であり、第２の数のこのようなトランジスタが非導電状態にあるようにする。導電状態にあるトランジスタの数は、実質電源供給線６および実質接地線８に対する駆動強度（有効な全駆動トランジスタ幅）を制御する。電力供給源１４および接地線１８との間に分圧器を形成し、その間に電力制御ヘッダートランジスタ１０、論理回路４、および電力制御フッタートランジスタ１６を直列に配置する。保持モードの状態にあるこれらの要素の相対抵抗は、実質電源供給線６と実質接地線８との間の電位差を制御する。したがって、電力制御ヘッダートランジスタ１０および電力制御フッタートランジスタ１６の導電性が低いほど、電源供給線１２と実質電源供給線６との間、および接地線１８と実質接地線８との間の電圧降下が高くなり、それによって、論理回路４に供給される、実質電源供給線６と実質接地線８との間の電圧差を低減する。電力制御ヘッダートランジスタ１０および電力制御フッタートランジスタ１６に対する電力制御信号は、実質的に静的信号であり、それらの値を保持モードに維持し、したがって、これらの電力制御信号の値を変更（調整）する際に電力が消費されない。中間電圧レベルのフィードバック制御が行われる場合、次いで、導電性である電力制御トランジスタ１０、１６の数のいくらかの微調整を行い、実質電源供給線６と実質接地線８との間の電圧差を所望のレベルに調整してもよい。
【００３０】
図１に示されるフィードバック機序は、実質電源供給線６と実質接地線８との間の電圧差に応答する、電圧制御発振器２２を備え、その間の電圧差に比例する周波数を有する出力信号を生成する。この出力信号は、固定した時間間隔で再設定される、カウンタ２４に供給される。再設定の時点におけるカウント値が獲得され得、実質電源供給線６と実質接地線８との間の一定の電圧差を付与する。したがって、このカウント値は、電力制御装置２０によって使用され、導電状態に切り替えられる、電力制御トランジスタの数を微調整することができる。これは、温度の変化、回路の老朽化とともに生じるような差異、異なる回路実例の間の差異等が、このフィードバック機序を使用して、電力制御装置２０の制御動作によって対応され得るようにする。
【００３１】
図２は、電力制御トランジスタがどのようにセットに組織化され、次いで、それらのセットがどのように群に組織化されるかを示す表である。図２に示されるように、群０は、８つのセットのトランジスタを含む。そして今度は、トランジスタのセットがそれぞれ４つのトランジスタを含む。群１は、８つのセットのトランジスタを含み、トランジスタのこれらのセットのそれぞれが、１６のトランジスタを含む。この関係は、群２および４の場合も継続し、群間で移動するときに群が含むトランジスタの数の４の倍数で増加する、個別のセットを伴う。これは、群番号と該セット群に含まれるトランジスタの数との間に指数的関係を提供する。より一般的に、Ｘがセットに含まれるトランジスタの数である場合、次いで、ＸはＭＮで与えられてもよく、Ｍは正の整数定数であり、Ｎは群間で増加する。セット内のトランジスタ、および必要に応じて、群内のトランジスタは、それぞれのゲートノードを切り替える電力制御信号を共有し得る。これは、電力制御装置２０によって生成される必要のある電力制御信号の数を低減して、ルーティングの混雑を緩和し、駆動電力制御信号自体において消費される電力量を低減する。各セット内のトランジスタの数の差異は、導電状態に切り替えられるセットと群の組み合わせが、所望の中間電圧レベルを達成するために必要な導電電力制御トランジスタの全体総数を産生できるようにする。
【００３２】
図３は、その電力網に給電するために、集積回路２６を通して分散される、電力制御トランジスタを有する集積回路２６を概略的に示す。この型の配列は、本技術分野における者によく知られ、それによって、電力網が集積回路２６を通して拡大し、集積回路２６を形成するセルにローカル電力接続を提供する。
【００３３】
電力制御トランジスタは、セットの各構成要素である。異なるセットは、異なる数の電力制御トランジスタを含む。集積回路２６の右端は、集積回路２６を通過する電力制御トランジスタの対応する列が属するセットの表示を示す。セット０は、最大数の電力制御トランジスタを含む。セット３は、最小数の電力制御トランジスタを含む。導電状態にある電力制御トランジスタの総数は、どの電力制御トランジスタのセットの電源を入れ、およびどのセットの電源を切るかを組み合わせることによって微調整され得る。この選択は、例えば、長期傾向を追跡する、集積回路の個別実例の間の差異または全体電源電圧内の差異を説明すること以外に、実質的に静的であり得る。
【００３４】
図４は、それと関連する論理回路４を通る、異なる実質線電圧レベルおよび漏れ電流を示す信号図である。図４から分かるように、電力制御トランジスタを使用して、中間電圧を供給し得る５つのレベルが提供される。電力制御トランジスタのすべての電源を入れた場合、次いで、電源供給線１２と接地線１８との間の全電圧は、小電圧降下を条件とし、電力制御トランジスタを通して印加される。図４に示される異なる保持電圧レベルは、それぞれ電源が入っている電力制御トランジスタの総数の１／６、１／３、１／２、２／３および５／６に対応する。産生される中間電圧レベルは、実質電源供給線６と実質接地線８との間の電圧差を生じ、それぞれ０．３Ｖ、０．５７Ｖ、０．６８Ｖ、０．７５Ｖおよび０．８Ｖである。
【００３５】
図５は、電力制御トランジスタ１０、１６の有効幅と実質線電圧との間の関係（実質電源供給線６と実質接地線８との間の電圧差）を示す。有効幅は、導電状態にある電力制御トランジスタの幅の和に対応する。当然のことながら、すべての電力制御トランジスタは、同一幅を有することができ、または代替として、異なる電力制御トランジスタは異なる幅を有し、異なる幅のトランジスタは、異なるセットおよび群の構成要素であってもよい。より幅広いトランジスタを群内で使用する場合、次いで、該群によって実質線に対する同一量の駆動強度の提供を達成するために、より少数のそのような幅広いトランジスタを提供する必要がある。
【００３６】
図５において見られるように、導電性である電力制御トランジスタ１０、１６の有効幅が増加するにつれて、中間電圧は全線の値に向けて増加する。
図６は、論理回路４を通る漏れ電流が、導電性である電力制御トランジスタ１０、１６の数の有効幅との関係において示されることを除いて、図５に類似する。導電性である電力制御トランジスタの数が低減するにつれて、論理回路４全体の電圧差は減少し、したがって、論理回路４内の漏れ電流が減少する。これは、保持モード中の集積回路の電力消費を低減しながら、論理回路４がその状態値を保持し、機能モードが再入力された場合に、デジタル処理動作を迅速に再開できるように備える。
【００３７】
図７および８は、５ビットの２進電力制御信号値をどのように使用して、導電性である電力制御トランジスタ１０、１６の数を選択し得るかを示す。これを使用して、実質線６、８に対して広範な駆動強度を提供するために十分に適した様式で、２進電力制御値とスイッチの数との間に指数的関係を達成し得る。
【００３８】
図９は、集積回路２の保持モードに入り、保持モードから出るまでを概略的に示すフロー図である。ステップ２８において、プロセスは、保持モードへの信号トリガ入力が受信される（すなわち、電力制御装置２０によって、ｒｅｔｎ信号が受信される）まで待機する。ステップ３０は、最初に既定された比率のヘッダーおよびフッタートランジスタ１０、１６の電源を切るとともに、クロック入力信号ｃｌｋを停止する。この所定の比率は、実質電力線上に所望の中間電圧レベルをおよそもたらすことが知られる値に設定される。
【００３９】
ステップ３２は、実質線電圧を感知し、それが所望の目標範囲内であるか否かを決定する。ステップ３４は、ステップ３２において、実質線電圧が現在目標範囲内でないと決定された場合、目標範囲に向けて移動させるために、導電状態にある第１の数の電力制御トランジスタを微調整する。したがって、ステップ３４の動作は、論理回路４全体に所望の電圧を達成するように、第１の数（すなわち、導電状態にある電力制御トランジスタの数）の電力制御トランジスタを調整する、フィードバック制御である。
【００４０】
ステップ３６において、機能モードへの回帰をトリガする信号（電力制御装置２０によって受信されるｐｗｒｑ信号）が受信されたか否かに関する決定が行われる。そのような信号が受信されていない場合、次いで、集積回路２は保持モードで維持し、処理はステップ３２に戻る。機能モードが再入力される場合、ステップ３８は、ヘッダーおよびフッタートランジスタ１０、１６のすべての電源を入れ（これは、突入電流を低減するために段階的であってもよい）、実質電力線６、８に対する全線電圧を回復するとともに、クロック入力信号ｃｌｋを再始動する。次いで、論理回路４は、デジタル処理動作を再開する。
【００４１】
本発明の例示的実施形態を、添付の図面を参照して、本明細書において詳細に説明したが、本発明は、それらの正確な実施形態に限定されず、添付の特許請求の範囲によって画定される本発明の範囲および精神から逸脱することなく、当業者によって、様々な変更および修正がそこにもたらされ得ることを理解されたい。
【符号の説明】
【００４２】
２  集積回路
４  論理回路
６  実質電源供給線
８  実質接地線
１０  電力制御ヘッダートランジスタ
１２  電源供給線
１４  電力供給源
１６  電力制御フッタートランジスタ
１８  接地線
２０  電力制御装置
２２  ＶＣＯ
２４  カウンタ
【図１】
2011101355.tif 000003
【図２】
2011101355.tif 000004
【図３】
2011101355.tif 000005
【図４】
2011101355.tif 000006
【図５】
2011101355.tif 000007
【図６】
2011101355.tif 000008
【図７】
2011101355.tif 000009
【図８】
2011101355.tif 000010
【図９】
2011101355.tif 000011
【外国語明細書】
2011101355.tif 000012
2011101355.tif 000013
2011101355.tif 000014
2011101355.tif 000015
2011101355.tif 000016
2011101355.tif 000017
2011101355.tif 000018
2011101355.tif 000019
2011101355.tif 000020
2011101355.tif 000021
2011101355.tif 000022
2011101355.tif 000023
2011101355.tif 000024
2011101355.tif 000025
2011101355.tif 000026
2011101355.tif 000027
2011101355.tif 000028
2011101355.tif 000029
2011101355.tif 000030
2011101355.tif 000031